(57)【特許請求の範囲】
【請求項１】
歯科用注射シミュレーション装置であって、
下顎部と、該下顎部の内側面の奥側に位置する針刺入領域と、前記下顎部の内部における前記針刺入領域の奥側に形成される空洞部と、を備える口腔内模型と、
前記針刺入領域から刺し入れられた注射針の先端が前記空洞部の内部空間における所定のターゲット領域に位置する場合に第１の態様で報知を行う報知機構と、
前記空洞部の壁面における前記針刺入領域と前記ターゲット領域との間に位置する第１当接許容領域と、
前記空洞部の壁面における前記針刺入領域と前記ターゲット領域との間に位置する第２当接不可領域と、を備え
前記第１当接許容領域と前記第２当接不可領域との距離の中における最も短い距離が前記注射針の外径より長い、歯科用注射シミュレーション装置。
【請求項２】
前記報知機構は、前記針刺入領域に配置され前記注射針が貫通可能な第１電極と、前記ターゲット領域に配置される第２電極と、該第１電極及び該第２電極に接続される電源部と、前記第１電極と前記第２電極とが前記注射針によって導通した場合に前記第１の態様で報知を行う報知部と、を備える請求項１に記載の歯科用注射シミュレーション装置。
【請求項３】
前記第２電極は、ブラシ電極により構成される請求項２に記載の歯科用注射シミュレーション装置。
【請求項４】
前記ブラシ電極を構成するブラシの延びる方向と前記針刺入領域から差し込まれる注射針とのなす角は、鋭角である請求項３に記載の歯科用注射シミュレーション装置。
【請求項５】
前記報知機構は、前記針刺入領域から刺し入れられた注射針の先端が前記第１当接許容領域に接触した場合に、第２の態様で報知を行う請求項１〜４のいずれかに記載の歯科用注射シミュレーション装置。
【請求項６】
前記空洞部の壁面における前記ターゲット領域の奥側に位置する第１当接不可領域を更に備え、
前記報知機構は、前記針刺入領域から刺し入れられた注射針の先端が前記第１当接不可領域に接触した場合に、第３の態様で報知を行う請求項１〜５のいずれかに記載の歯科用注射シミュレーション装置。
【請求項７】
前記報知機構は、前記針刺入領域から刺し入れられた注射針の先端が前記第２当接不可領域に接触した場合に、第３の態様で報知を行う請求項１〜６のいずれかに記載の歯科用注射シミュレーション装置。
【請求項８】
歯科用注射シミュレーション装置であって、
下顎部と、該下顎部の内側面の奥側に位置する針刺入領域と、前記下顎部の内部における前記針刺入領域の奥側に形成される空洞部と、を備える口腔内模型と、
前記針刺入領域から刺し入れられた注射針の先端が前記空洞部の内部空間における所定のターゲット領域に位置する場合に第１の態様で報知を行う報知機構と、を備え、
前記報知機構は、前記針刺入領域に配置され前記注射針が貫通可能な第１電極と、前記ターゲット領域に配置される第２電極と、該第１電極及び該第２電極に接続される電源部と、前記第１電極と前記第２電極とが前記注射針によって導通した場合に前記第１の態様で報知を行う報知部と、を備える歯科用注射シミュレーション装置。
【請求項９】
歯科用注射シミュレーション装置であって、
下顎部と、該下顎部の内側面の奥側に位置する針刺入領域と、前記下顎部の内部における前記針刺入領域の奥側に形成される空洞部と、を備える口腔内模型と、
前記針刺入領域から刺し入れられた注射針の先端が前記空洞部の内部空間における所定のターゲット領域に位置する場合に第１の態様で報知を行う報知機構と、
前記空洞部の壁面における前記針刺入領域と前記ターゲット領域との間に位置する第１当接許容領域と、を備え、
前記報知機構は、前記針刺入領域から刺し入れられた注射針の先端が前記第１当接許容領域に接触した場合に、第２の態様で報知を行う歯科用注射シミュレーション装置。
【請求項１０】
歯科用注射シミュレーション装置であって、
下顎部と、該下顎部の内側面の奥側に位置する針刺入領域と、前記下顎部の内部における前記針刺入領域の奥側に形成される空洞部と、を備える口腔内模型と、
前記針刺入領域から刺し入れられた注射針の先端が前記空洞部の内部空間における所定のターゲット領域に位置する場合に第１の態様で報知を行う報知機構と、
前記空洞部の壁面における前記ターゲット領域の奥側に位置する第１当接不可領域と、を備え、
前記報知機構は、前記針刺入領域から刺し入れられた注射針の先端が前記第１当接不可領域に接触した場合に、第３の態様で報知を行う歯科用注射シミュレーション装置。
【請求項１１】
歯科用注射シミュレーション装置であって、
下顎部と、該下顎部の内側面の奥側に位置する針刺入領域と、前記下顎部の内部における前記針刺入領域の奥側に形成される空洞部と、を備える口腔内模型と、
前記針刺入領域から刺し入れられた注射針の先端が前記空洞部の内部空間における所定のターゲット領域に位置する場合に第１の態様で報知を行う報知機構と、
前記空洞部の壁面における前記針刺入領域と前記ターゲット領域との間に位置する第２当接不可領域と、を備え、
前記報知機構は、前記針刺入領域から刺し入れられた注射針の先端が前記第２当接不可領域に接触した場合に、第３の態様で報知を行う歯科用注射シミュレーション装置。
【請求項１２】
前記空洞部の壁面における前記ターゲット領域の奥側に位置する第２当接許容領域を更に備え、
前記報知機構は、前記針刺入領域から刺し入れられた注射針の先端が前記第２当接許容領域に接触した場合に、第４の態様で報知を行う請求項１〜１１のいずれかに記載の歯科用注射シミュレーション装置。
【請求項１３】
歯科用注射シミュレーション装置であって、
下顎部と、該下顎部の内側面の奥側に位置する針刺入領域と、前記下顎部の内部における前記針刺入領域の奥側に形成される空洞部と、を備える口腔内模型と、
前記針刺入領域から刺し入れられた注射針の先端が前記空洞部の内部空間における所定のターゲット領域に位置する場合に第１の態様で報知を行う報知機構と、
前記空洞部の壁面における前記ターゲット領域の奥側に位置する第２当接許容領域と、を備え、
前記報知機構は、前記針刺入領域から刺し入れられた注射針の先端が前記第２当接許容領域に接触した場合に、第４の態様で報知を行う歯科用注射シミュレーション装置。
【請求項１４】
前記空洞部及び該空洞部に配置される部材は、前記下顎部に対して交換可能に構成される請求項１〜１３のいずれかに記載の歯科用注射シミュレーション装置。
【請求項１５】
前記口腔内模型は、上顎部と、
前記下顎部の後部と前記上顎部の後部とを前記下顎部と前記上顎部とが開閉可能となるように連結する顎関節部とを更に備える請求項１〜１４のいずれかに記載の歯科用注射シミュレーション装置。
【請求項１６】
前記針刺入領域と前記空洞部とを含み、請求項１〜１５のいずれかに記載の歯科用注射シミュレーション装置に着脱可能に用いられる歯科用注射シミュレーション装置用部品。
【発明の詳細な説明】
【技術分野】
【０００１】
本発明は、歯科用注射シミュレーション装置に関する。
【背景技術】
【０００２】
歯科において、麻酔注射を行う場合には、的確な位置に注射針を刺し入れる必要がある。そのため、麻酔注射を的確に行うための実習が行われており、その実習をするために注射訓練用の模型が用いられている。麻酔注射としては、一般に浸潤麻酔及び伝達麻酔が知られている。【０００３】
浸潤麻酔の訓練用の模型としては、歯肉を模したシリコンゴム等からなり、ガラスフィルター及びチャンバーを介して注射液が模型外へ排出されるものがある（特許文献１参照）。この模型によれば、所定の構造を有することによって、浸潤麻酔において、注射針を適切な位置まで進め、薬液を適度な圧で注入する訓練をすることができる。【０００４】
伝達麻酔としては、下顎孔伝達麻酔注射が知られている。下顎孔伝達麻酔注射は、下顎孔（下歯槽神経）を刺入目標として注射針を進める手法である。注射法には、口内法と口外法があり、歯科では口内法が一般的である。口内法には、直接（直達）法、間接（二・三進）法、そして近位法がある。針先の捲れ、神経、血管、組織の損傷を防止するために、直接法と近位法が推奨されている。【０００５】
近位法は、下顎小舌の前方へ針を刺入するので、注射針の先が大きな神経又は血管を損傷する危険性を低減できる。【０００６】
しかし、直接（直達）法では、針先を１０〜１５ｍｍ刺入し骨に到達させ１〜２ｍｍ戻し、吸引テストした後、ゆっくり麻酔液を注入する。【０００７】
あるいは、下顎小舌を通過して骨の抵抗が無くなった状態で麻酔液を注入する。骨の硬い材質の部位ではなく、空洞内の所定の空間（翼突下顎隙）であるため、この領域に注射針が物体に当たったという感触は得られない。よって、正確な位置に注射針を進めているかどうかを把握することが極めて困難である。
【先行技術文献】
【特許文献】
【０００８】
【特許文献１】特許第５１８７６７８号公報
【発明の概要】
【発明が解決しようとする課題】
【０００９】
以上のとおり、下顎孔伝達麻酔注射は高度な技術を要する。従って、下顎孔伝達麻酔注射の技術を高めるために、注射針の先端が所定の空間に位置することを把握が可能な訓練用の模型が必要である。【００１０】
本発明は以上の実情に鑑みてなされたものであり、注射針の先端が所定の空間に位置することを検知できる歯科用注射シミュレーション装置を提供することを目的とする。
【課題を解決するための手段】
【００１１】
本発明者らは、所定の口腔内模型と報知機構を用いることで、注射針の先端が所定の空間に位置することを検知できることを見出し、本発明を完成するに至った。より具体的には、本発明は、以下のようなものを提供する。【００１２】
（１）歯科用注射シミュレーション装置であって、下顎部と、該下顎部の内側面の奥側に位置する針刺入領域と、前記下顎部の内部における前記針刺入領域の奥側に形成される空洞部と、を備える口腔内模型と、前記針刺入領域から刺し入れられた注射針の先端が前記空洞部の内部空間における所定のターゲット領域に位置する場合に第１の態様で報知を行う報知機構と、を備える歯科用注射シミュレーション装置。【００１３】
（２）前記報知機構は、前記針刺入領域に配置され前記注射針が貫通可能な第１電極と、前記ターゲット領域に配置される第２電極と、該第１電極及び該第２電極に接続される電源部と、前記第１電極と前記第２電極とが前記注射針によって導通した場合に前記第１の態様で報知を行う報知部と、を備える（１）に記載の歯科注射用シミュレーション装置。【００１４】
（３）前記第２電極は、ブラシ電極により構成される（２）に記載の歯科用注射シミュレーション装置。【００１５】
（４）前記ブラシ電極を構成するブラシの延びる方向と前記針刺入領域から差し込まれる注射針とのなす角は、鋭角である（３）に記載の歯科用注射シミュレーション装置。【００１６】
（５）前記空洞部の壁面における前記針刺入領域と前記ターゲット領域との間に位置する第１当接許容領域を更に備え、前記報知機構は、前記針刺入領域から刺し入れられた注射針の先端が前記第１当接許容領域に接触した場合に、第２の態様で報知を行う（１）〜（４）のいずれかに記載の歯科用注射シミュレーション装置。【００１７】
（６）前記空洞部の壁面における前記ターゲット領域の奥側に位置する第１当接不可領域を更に備え、前記報知機構は、前記針刺入領域から刺し入れられた注射針の先端が前記第１当接不可領域に接触した場合に、第３の態様で報知を行う（１）〜（５）のいずれかに記載の歯科用注射シミュレーション装置。【００１８】
（７）前記空洞部における前記針刺入領域と前記ターゲット領域との間に位置する第２当接不可領域を更に備え、前記報知機構は、前記針刺入領域から刺し入れられた注射針の先端が前記第２当接不可領域に接触した場合に、第３の態様で報知を行う（１）〜（６）のいずれかに記載の歯科用注射シミュレーション装置。【００１９】
（８）前記空洞部の壁面における前記ターゲット領域の奥側に位置する第２当接許容領域を更に備え、前記報知機構は、前記針刺入領域から刺し入れられた注射針の先端が前記第２当接許容領域に接触した場合に、第４の態様で報知を行う（１）〜（７）のいずれかに記載の歯科用注射シミュレーション装置。【００２０】
（９）前記空洞部及び該空洞部に配置される部材は、前記下顎部に対して交換可能に構成される（１）〜（８）のいずれかに記載の歯科用注射シミュレーション装置。【００２１】
（１０）前記口腔内模型は、上顎部と、前記下顎部の後部と前記上顎部の後部とを前記下顎部と前記上顎部とが開閉可能となるように連結する顎関節部とを更に備える（１）〜（９）のいずれかに記載の歯科用注射シミュレーション装置。【００２２】
（１１）前記針刺入領域と前記空洞部とを含み、（１）〜（１０）の歯科用注射シミュレーション装置に着脱可能に用いられる歯科用注射シミュレーション装置用部品。
【発明の効果】
【００２３】
本発明によれば、所定の報知機構を用い、かつ、注射針の先端が口腔内模型の空洞部における所定の空間に位置する場合に報知機構が報知を行うので、訓練者に注射針が所定の空間に位置することを検知できる。
【図面の簡単な説明】
【００２４】
【図１】本発明の一実施形態に係る歯科用シミュレーション装置を示す斜視図である。
【図２】下顎部の分解斜視図である。
【図３】下顎部を図２の矢印Ａ方向に視た内側面図である。
【図４】図３において顎骨部と着脱部材とを分離した状態を示す図である。
【図５】下顎部の左側面図であり、下顎部を図１の矢印Ｂ方向に視た図である。
【図６】図５のＸ−Ｘ線断面図である。
【図７】本実施形態の歯科用シミュレーション装置の使用の状態を示す図であり、注射針の先端が第１当接許容領域に当接した状態を示す図である。
【図８】本実施形態の歯科用シミュレーション装置の使用の状態を示す図であり、注射針の先端がターゲット領域に到達した状態を示す図である。
【図９】本実施形態の歯科用シミュレーション装置の使用の状態を示す図であり、注射針の先端が第１当接許容領域に到達した状態を示す図である。
【図１０】本実施形態の歯科用シミュレーション装置の使用の状態を示す図であり、注射針の先端が第１当接不可領域に到達した状態を示す図である。
【図１１】本実施形態の歯科用シミュレーション装置の使用の状態を示す図であり、注射針の先端が第２当接不可領域に到達した状態を示す図である。
【図１２】本実施形態の歯科用シミュレーション装置の使用の状態を示す図であり、注射針の先端が第２当接許容領域に当接した状態を示す図である。
【発明を実施するための形態】
【００２５】
以下、本発明の実施形態について図面を参照しながら説明する。
本実施形態の歯科用注射シミュレーション装置１は、図１に示すように、口腔内模型１０と、報知機構２０とを備える。口腔内模型１０は、下顎部１１と、上顎部１２と、これら下顎部１１及び上顎部１２を開閉可能に連結する顎関節部１３と、を備える。
下顎部１１は、歯科用注射シミュレーション装置１において、注射針が刺し入れられる主要部分を構成する。この下顎部１１は、図２〜図４に示すように、顎骨部１１１と、歯肉部１１２と、針刺入領域１１３と、空洞部１１４と、を備える。
【００２６】
顎骨部１１１は、下顎部１１における顎骨部分及び歯部分を構成する。
歯肉部１１２は、下顎部１１における歯肉部分を構成する。この歯肉部１１２は、シリコンゴム等の注射針が貫通可能な材質の部材で構成される。
【００２７】
針刺入領域１１３は、図１及び図２に示すように、下顎部１１の内側面の奥側に位置する。より具体的には、針刺入領域１１３は、下顎部１１の内側面の奥側の歯肉部１１２が位置する領域である。本実施形態では、針刺入領域１１３は、翼突下顎ヒダ部２５と内斜線部２６の間であって（図６参照）、下顎の咬合平面とほぼ同じの高さ領域に配置される（図５参照）。尚、針刺入領域１１３の位置は、流派や個人によって微差があり、後述する刺入目標に注射針を進めることが可能な範囲内であれば特に限定されない。
【００２８】
空洞部１１４は、下顎部１１の内部における針刺入領域１１３の奥側に形成される。本実施形態では、空洞部１１４は、図２〜図４に示すように、下顎部１１に着脱可能な着脱部材１１５の内部に形成される。この着脱部材１１５は、内部に形成された空洞部１１４と、下顎部１１に取り付けられた状態で針刺入領域１１３に対応する位置に形成され空洞部１１４に連通する開口１１６と、この開口１１６を覆うように配置される後述の第１電極２１と、空洞部１１４の所定の領域に配置される複数の電極（詳細は後述する）と、を備える。本実施形態では、空洞部１１４は、下顎孔より手前側に位置する翼突下顎隙に対応する位置に形成される（図６参照）。
【００２９】
上顎部１２は、下顎部１１と同様に、上顎部１２における顎骨部分及び歯部分を構成する顎骨部と、上顎部１２における歯肉部分を構成する歯肉部と、を備える。
咬合器部１３は、下顎部１１の後部と、上顎部１２の後部とを、下顎部１１と上顎部１２とが開閉可能となるように連結する。これにより、口腔内模型１０は、実際の人間のように、下顎部１１と上顎部１２とが開閉可能に構成される。
【００３０】
報知機構２０は、針刺入領域１１３から刺し入れられた注射針の先端が所定の領域に達したことを検知し、所定の態様で報知を行う。
本実施形態では、報知機構２０は、第１電極２１と、第２電極２２と、第３電極２３と、第４電極２４と、第５電極２５、電源部（図示せず）と、報知部（図示せず）と、を備える。
【００３１】
第１電極２１は、針刺入領域１１３に配置される。より具体的には、第１電極２１は、針刺入領域１１３に位置する歯肉部１１２の奥側に配置される。この第１電極２１は、繊維状の導電性部材がメッシュ状に編み込まれて形成され、注射針が貫通可能な布電極により構成される。
【００３２】
第２電極２２は、空洞部１１４における所定のターゲット領域Ｒ１に配置される。ここで、第２電極２２が配置されるターゲット領域Ｒ１とは、直接（直達）法を行う場合に、注射針の先端を位置させるべき領域を示す。本実施形態では、下顎孔より手前側に位置する翼突下顎隙（空洞部１１４に相当）の中であって、注射針を約１０〜１５ｍｍ刺入した場合に針の先端が位置する空間領域をターゲット領域Ｒ１とし、このターゲット領域Ｒ１に第２電極２２が配置される。
【００３３】
本実施形態では、第２電極２２は、所定方向に延びる複数の繊維状の導電性部材により形成されたブラシ電極により構成される。また、このブラシ電極は、図６に示すように、このブラシ電極を構成するブラシの延びる方向と針刺入領域１１３から刺し込まれる注射針とのなす角が、鋭角となるように配置される。
【００３４】
第３電極２３は、空洞部１１４の壁面における針刺入領域１１３とターゲット領域Ｒ１との間に位置する第１当接許容領域Ｒ２に配置される。第１当接許容領域Ｒ２とは直接（直達）法を行う場合に、針刺入領域１１３から刺し込まれた注射針の先端がターゲット領域Ｒ１に到達する前に当接し得る領域を示す。
【００３５】
第４電極２４は、空洞部１１４の壁面におけるターゲット領域Ｒ１の奥側に位置する第１当接不可領域Ｒ３、及び空洞部１１４の壁面における針刺入領域１１３とターゲット領域Ｒ１との間に位置する第２当接不可領域Ｒ４に配置される。ここで、第１当接不可領域Ｒ３とは、直接（直達）法を行う場合に、注射針の先端がターゲット領域Ｒ１を過ぎて刺し入れられた場合に当接する領域を示す。また、第２当接不可領域Ｒ４とは、直接（直達）法を行う場合に、針刺入領域１１３から刺し込まれた注射針がターゲット領域Ｒ１とは異なる方向に進められた場合に当接する領域や、血管や神経等の、注射針の先端が刺し入れられるべきではない領域を示す。
【００３６】
第５電極２５は、空洞部１１４の壁面におけるターゲット領域Ｒ１の奥側に位置する第２当接許容領域Ｒ５に配置される。ここで、第２当接許容領域Ｒ５とは、直接（直達）法を行う場合に、注射針の先端がターゲット領域Ｒ１を過ぎて刺し入れられた場合に、当接し得る領域であって、骨に相当する領域を示す。第２当接許容領域Ｒ５は、針刺入領域１１３から刺し込まれた注射針が刺入される方向からみて、第１当接不可領域Ｒ３の手前側に位置する。
【００３７】
本実施形態では、上述の第１電極２１〜第５電極２５は、着脱部材１１５を着脱させることで、下顎部１１に対して着脱自在に構成される。
【００３８】
電源部は、第１電極２１〜第５電極２５に電線を介して接続される。より具体的には、第１電極２１は、電源部における一方の極に電線を介して接続される。また、第２電極２２〜第５電極２５は、それぞれ、電源部における他方の極に並列に接続される。
【００３９】
報知部は、第１電極２１と、第２電極２２〜第５電極２５のいずれかと、が注射針によって導通した場合に、所定の態様で報知を行う。
本実施形態では、報知部は、第１電極２１と第２電極２２とが導通した場合、即ち、針刺入領域１１３から刺し込まれた注射針の先端がターゲット領域Ｒ１に到達した場合に第１の態様で報知を行う。
【００４０】
また、報知部は、第１電極２１と第３電極２３とが導通した場合には、第１の態様とは異なる第２の態様で報知を行う。
更に、報知部は、第１電極２１と第４電極２４とが導通した場合には、第１の態様及び第２の態様とは異なる第３の態様で報知を行う。
更に、報知部は、第１電極２１と第５電極２５とが導通した場合には、第１の態様、第２の態様及び第３の態様とは異なる第４の態様で報知を行う。
【００４１】
また、報知部は、第１〜４の態様で報知を行うことを可能とする形態で、電線により接続される。
【００４２】
次に、本実施形態の歯科用注射シミュレーション装置１の使用方法について説明する。
本実施形態の歯科用注射シミュレーション装置１を用いて直接（直達）法の訓練を行う場合、訓練者は、まず、図６に示すように、針刺入領域１１３とは反対側に位置する犬歯・第一小臼歯Ｔ１から針刺入領域１１３に向かって注射針を進め、針刺入領域１１３に注射針を刺し込む。
【００４３】
針刺入領域１１３に刺し込まれた注射針の先端は、第１電極２１（布電極）を貫通して空洞部１１４に進入する。この状態から、注射針を更に刺し入れていくと、図７に示すように、注射針の先端は、第１当接許容領域Ｒ２に配置された第３電極２３に接触する。すると、第１電極２１と第３電極２３とが注射針により導通されるので、報知部は、第２の態様（例えば、「ホロホロ」という音）により報知を行う。これにより、訓練者は、注射針が正しい方向に刺し込まれていることを認識できる。
【００４４】
そして、図７に示す状態から更に注射針を刺し入れていくと、図８に示すように、注射針の先端は、ターゲット領域Ｒ１に配置された第２電極２２に接触する。すると、第１電極２１と第２電極２２とが注射針により導通されるので、報知部は、第１の態様（例えば、「ピンポン」という音）により報知を行う。これにより、訓練者は、注射針がターゲット領域Ｒ１に到達したことを認識できる。
尚、図９に示すように、注射針の先端が誤った方向から刺し入れられた結果、第１当接許容領域に達した後動かなくなった場合においても、第１電極２１と第３電極２３とが注射針により導通されるので、報知部は、第２の態様（例えば、「ホロホロ」という音）により報知を行う。このように、第２の態様によって報知が行われたものの注射針を進めることができなかった場合には、訓練者は、注射針が誤った方向に刺し込まれていることを認識できる。
ここで、本実施形態では、第２電極２２を、ブラシ電極により構成している。これにより、注射針の先端がブラシ電極に接触した（刺し込まれた）場合に、注射針に対する抵抗を小さくできるので、訓練者に対して、注射針の先端が異物に接触したという感触を与えにくくできる。よって、注射針がターゲット領域Ｒ１に位置することを感触によっては訓練者に感じさせにくくしつつ、ターゲット領域Ｒ１に注射針が位置することを報知できる。
また、ブラシ電極を構成するブラシの延びる方向と針刺入領域から差し込まれる注射針とのなす角が鋭角となるように、ブラシ電極を配置した。これにより、注射針の先端がブラシ電極に接触した（刺し込まれた）場合の抵抗をより低減できる。
【００４５】
図８に示す状態から更に注射針を刺し入れていくと、図１０に示すように、注射針の先端は、ターゲット領域Ｒ１を貫通して第１当接不可領域Ｒ３に配置された第４電極２４に当接する。すると、第１電極２１と第４電極２４とが注射針により導通されるので、報知部は、第３の態様（例えば、「ブー」という音）により報知を行う。これにより、訓練者は、注射針を刺し込みすぎたことを認識できる。
【００４６】
一方、図１１に示すように、針刺入領域１１３から刺し込まれた注射針がターゲット領域Ｒ１とは異なる方向に進められた場合には、注射針の先端は、第２当接不可領域Ｒ４に配置された第４電極２４に接触する。すると、第１電極２１と第４電極２４とが注射針により導通されるので、報知部は、第３の態様（例えば、「ブー」という音）により報知を行う。これにより、訓練者は、注射針が誤った方向に刺し込まれていることを認識できる。
【００４７】
また、図８に示す状態から更に注射針を刺し入れていき、図１２に示すように、ターゲット領域Ｒ１を貫通していくと、第２当接許容領域Ｒ５に配置された第５電極２５に当接する。すると、第１電極２１と第５電極２５とが注射針により導通されるので、報知部は、第４の態様（例えば、「ポンピン」という音）により報知を行う。これにより、訓練者は、注射針が正しい方向に刺し込まれていることを認識できる。
【００４８】
以上説明した本実施形態の歯科用注射シミュレーション装置１によれば、以下のような効果を奏する。
【００４９】
下顎部１１を、針刺入領域１１３と、この針刺入領域の奥側に形成される空洞部１１４とを含んで構成した。そして、報知機構２０に、針刺入領域１１３から刺し入れられた注射針の先端が空洞部１１４の内部空間におけるターゲット領域Ｒ１に位置する場合に第１の態様で報知を行わせた。これにより、所定の空間領域であるターゲット領域Ｒ１に注射針が位置することを検知できる。
【００５０】
報知機構２０を、針刺入領域１１３に配置され注射針が貫通可能な第１電極２１と、ターゲット領域Ｒ１に配置される第２電極２２と、第１電極２１と第２電極２２とが注射針によって導通した場合に第１の態様で報知を行う報知部とを含んで構成した。これにより、針刺入領域１１３に刺し込まれた注射針の先端は、第１電極２１を貫通して空洞部１１４に進入し、ターゲット領域Ｒ１に配置された第２電極２２に接触すると、第１電極２１と第２電極２２とが注射針により導通されて、報知部は、第１の態様により報知を行う。よって、訓練者は、注射針がターゲット領域Ｒ１に到達したことを認識できる。
【００５１】
第２電極２２を、ブラシ電極により構成した。これにより、注射針の先端がブラシ電極に接触した（刺し込まれた）場合に、注射針に対する抵抗を小さくできるので、訓練者に対して、注射針の先端が異物に接触したという感触を与えにくくできる。よって、注射針がターゲット領域Ｒ１に位置することを感触によっては訓練者に感じさせにくくしつつ、ターゲット領域Ｒ１に注射針が位置することを報知できる。
【００５２】
ブラシ電極を、ブラシ電極を構成するブラシの延びる方向と針刺入領域１１３から差し込まれる注射針とのなす角が鋭角となるように配置した。これにより、注射針の先端がブラシ電極に接触した（刺し込まれた）場合の抵抗をより低減できる。
【００５３】
口腔内模型１０を、空洞部１１４の壁面における針刺入領域１１３とターゲット領域Ｒ１との間に位置する第１当接許容領域Ｒ２とを含んで構成した。そして、報知機構２０に、針刺入領域１１３から刺し入れられた注射針の先端が第１当接許容領域Ｒ２に接触した場合に、第２の態様で報知を行わせた。これにより、訓練者に、注射針が正しい方向に刺し込まれていることを認識させられる。
【００５４】
口腔内模型１０を、空洞部１１４の壁面におけるターゲット領域Ｒ１の奥側に位置する第１当接不可領域Ｒ３を含んで構成した。そして、報知機構２０に、針刺入領域１１３から刺し入れられた注射針の先端が第１当接不可領域Ｒ３に接触した場合に、第３の態様で報知を行わせた。これにより、訓練者に、注射針を刺し込みすぎたことを認識させられる。
【００５５】
口腔内模型１０を、空洞部１１４における針刺入領域１１３とターゲット領域Ｒ１との間に位置する第２当接不可領域Ｒ４とを含んで構成した。そして、報知機構２０に、針刺入領域１１３から刺し入れられた注射針の先端が第２当接不可領域Ｒ４に接触した場合に、第３の態様で報知を行わせた。これにより、訓練者に、注射針が誤った方向に刺し込まれていることを認識させられる。
【００５６】
口腔内模型１０を、空洞部１１４の壁面におけるターゲット領域Ｒ１の奥側に位置する第２当接許容領域Ｒ５を含んで構成した。そして、報知機構２０に、針刺入領域１１３から刺し入れられた注射針の先端が第２当接許容領域Ｒ５に接触した場合に、第４の態様で報知を行わせた。これにより、訓練者に、注射針が正しい方向に刺し込まれていることを認識させられる。
【００５７】
報知部に、針刺入領域１１３に刺し込まれた注射針の先端が、第１電極２１（布電極）を貫通し、第３電極２３、第４電極２４又は第５電極２５に接触した場合に、第２の態様、第３の態様又は第４の態様により報知を行わせた。これにより、注射針の先端が到達した領域に応じて、異なる態様により報知を行わせられる構成を簡易に実現できる。
【００５８】
空洞部１１４及び空洞部１１４に配置される部材を、下顎部１１に対して交換可能に構成した。これにより、針刺入領域１１３から刺し入れられた注射針の先端がターゲット領域Ｒ１に達するまでの空間を狭くしたり、広くしたりすることで、訓練の難易度を変更することができる。
【００５９】
口腔内模型１０を、上顎部１２及び顎関節部１３を含んで構成した。これにより、口腔内模型１０は、実際の人間のように、下顎部１１と上顎部１２とが開閉可能に構成される。よって、実際の歯科医療の現場に近い雰囲気下での訓練が可能となる。
【００６０】
以上、本発明の歯科用注射シミュレーション装置の好ましい一実施形態につき説明したが、本発明は、上述の実施形態に制限されるものではなく、適宜変更が可能である。
例えば、本実施形態では、報知機構２０を、複数の電極を用いて構成したが、これに限らない。即ち、報知機構を、超音波発信装置を用いて構成してもよい。この場合、超音波をターゲット領域に発信し、その波動を注射針の先端が遮ることを検知して報知を行ってもよい。
【００６１】
また、本実施形態では、報知機構２０に、所定の音を発することにより報知を行わせたが、これに限らない。即ち、報知機構に、所定の光を発することで報知を行わせてもよい。
【００６２】
また、本実施形態では、口腔内模型１０を、下顎部１１、上顎部１２及び咬合器部１３を含んで構成したが、これに限らない。即ち、口腔内模型を、下顎部のみから構成してもよい。
【００６３】
また、本実施形態では、第１当接不可領域Ｒ３に配置された電極と第２当接不可領域Ｒ４に配置された電極はいずれも第４電極２４であるが、それぞれの電極を異なるものにしてもよい。また、それぞれの電極を異なるものにした場合、注射針の先端が、ターゲット領域Ｒ１を貫通して第１当接不可領域Ｒ３に配置された第４電極２４に当接した場合と、第２当接不可領域Ｒ４に配置された第４電極２４に当接した場合とにおいて、報知部はそれぞれの場合において異なる態様により報知を行ってもよい。
【００６４】
空洞部１１４に配置される部材は、下顎部１１に対して交換可能に構成されていれば特に限定されないが、例えば、空洞部１１４を覆う部材の一部等をいう。
【００６５】
また、本発明は、針刺入領域１１３と空洞部１１４とを含み、歯科用注射シミュレーション装置に着脱可能に用いられる歯科用注射シミュレーション装置用部品を含んでもよい。歯科用注射シミュレーション装置用部品は、空洞部１１４を覆う部材の一部、下顎部１１、第１電極２１〜第４電極２４、第１電極２１〜第４電極２４に接続される電線、報知部に接続される電線等を１つ以上含んでもよく、含まなくてもよい。
【００６６】
本発明によって下顎孔伝達麻酔注射の訓練を行い、その技術の習得度を確認するために、ターゲット領域Ｒ１に、シリコンゴム等の貫通可能な基材からなり、基材の内部に注入された注射液がチューブを介して模型外部に排出される構造を有するものを配置することができる。注射の訓練においては、一般に本物の麻酔液が使用されるため、麻酔液による模型内部における錆等の発生が避けられない。しかし、このような構造を有するものを用いることで、麻酔液が模型外部に排出されるので、錆等の発生を防ぐことが可能であり、更に、模型外部に注射液が排出されたことを確認することで正しい位置に注射したことを確認できる。
【符号の説明】
【００６７】
１０    口腔内模型
１１    下顎部
１１１  顎骨部
１１２  歯肉部
１１３  針刺入領域
１１４  空洞部
１１５  着脱部材
１１６  開口
１２    上顎部
１３    咬合器部
２０    報知機構
２１    第１電極
２２    第２電極
２３    第３電極
２４    第４電極
２５    第５電極
２５    翼突下顎ヒダ部
２６    内斜線部
Ｒ１    ターゲット領域
Ｒ２    第１当接許容領域
Ｒ３    第１当接不可領域
Ｒ４    第２当接不可領域
Ｒ５    第２当接許容領域
Ｔ１    第一小臼歯
【図１】
0006055101.tif 000002
【図２】
0006055101.tif 000003
【図３】
0006055101.tif 000004
【図４】
0006055101.tif 000005
【図５】
0006055101.tif 000006
【図６】
0006055101.tif 000007
【図７】
0006055101.tif 000008
【図８】
0006055101.tif 000009
【図９】
0006055101.tif 000010
【図１０】
0006055101.tif 000011
【図１１】
0006055101.tif 000012
【図１２】
0006055101.tif 000013